(57)【特許請求の範囲】
【請求項１】
複数の呼制御カードを有するネットワーク装置であって、
前記複数の呼制御カードの中から、電源を切断すべき呼制御カードを選択するように構成された選択部と、
前記選択部によって選択された呼制御カードの電源を切断するように構成された省電力制御部と、
前記複数の呼制御カードのそれぞれが設定可能な最大接続呼数からマージンを差し引いた運用接続呼数を超えないように、前記複数の呼制御カードのそれぞれが設定する接続呼数を制御するように構成された割当部とを備え、
前記省電力制御部は、前記選択部によって選択された呼制御カードに設定された運用接続呼数を相殺するように、前記選択部によって選択されなかった呼制御カードに設定されたマージンを減少して、前記選択部によって選択されなかった呼制御カードに設定された運用接続呼数を増大することを特徴とするネットワーク装置。
【請求項２】
前記省電力制御部は、所定の周期で、前記選択部によって選択された呼制御カードの電源を切断する請求項１に記載のネットワーク装置。
【請求項３】
前記省電力制御部は、前記複数の呼制御カードの全体で制御する接続呼数が所定閾値を下回った場合に、前記選択部によって選択された呼制御カードの電源を切断することを特徴とする請求項１に記載のネットワーク装置。
【請求項４】
前記選択部は、電源の通算切断回数、電源の通算切断時間、接続呼の通算処理数及びハードウェアリソースへの通算アクセス回数のうち、少なくともいずれかの情報に基づいて、前記電源を切断すべき呼制御カードを選択することを特徴とする請求項１に記載のネットワーク装置。
【請求項５】
前記省電力制御部は、電源の切断に先立って、前記選択部によって選択された呼制御カードを、新規呼の割り当てが制限された切断準備状態に遷移させることを特徴とする請求項１に記載のネットワーク装置。
【請求項６】
前記切断準備状態に遷移した呼制御カードに格納されたユーザデータを前記切断準備状態に遷移していない呼制御カードに移行するように構成されたデータ移行部をさらに備えることを特徴とする請求項５に記載のネットワーク装置。
【発明の詳細な説明】
【技術分野】
【０００１】
本発明は、複数の呼制御カードを有するネットワーク装置に関する。
【背景技術】
【０００２】
従来、呼制御を行うネットワーク装置を有する移動通信システムが知られている。ネットワーク装置は、例えば、３Ｇなどの第１通信システム（第１ＲＡＴ（Ｒａｄｉｏ  Ａｃｃｅｓｓ  Ｔｅｃｈｎｏｌｏｇｙ））に設けられる無線制御装置（ＲＮＣ）である。或いは、ネットワーク装置は、例えば、ＬＴＥなどの第２通信システム（第２ＲＡＴ）に設けられる無線基地局（ＭＭＥ、ｅＮｏｄｅＢなど）である。
【０００３】
ここで、ネットワーク装置は、呼制御を行う複数の呼制御カードを有する。複数の呼制御カードのそれぞれは、複数の移動通信端末と設定する呼を制御する。例えば、呼制御カードは、移動通信端末に対して呼処理を指示するカード、移動通信端末と設定する呼の接続信号を終端するカードなどである（例えば、特許文献１）。
【０００４】
ところで、一般的には、呼制御カードが設定可能な最大接続呼数に対して、一定のマージンを差し引いた運用接続呼数が呼制御カードに設定されている。これによって、一時的な呼数の増大を吸収することが可能である。
【先行技術文献】
【特許文献】
【０００５】
【特許文献１】特開２００２−２７１０９号公報
【発明の概要】
【発明が解決しようとする課題】
【０００６】
ところで、近年では、環境等への配慮から、移動通信システムの全体で省電力化が望まれている。例えば、上述した技術では、呼制御カードの熱負荷レベルに応じて、呼制御カードを冷却する冷却ファンの冷却能力を制御することによって、冷却ファンの低消費電力化が図られている。
【０００７】
しかしながら、上述した技術では、呼制御カードの低消費電力化について、十分に図ることができていない。
【０００８】
そこで、本発明は、上述した課題を解決するためになされたものであり、ネットワーク装置の低消費電力化を図ることを可能とするネットワーク装置を提供することを目的とする。また、本発明は、呼制御カードの電源を切断することによって、呼制御カードの連続稼働時間を短縮し、呼制御カードの故障を抑制することも目的とする。
【課題を解決するための手段】
【０００９】
第１の特徴に係るネットワーク装置は、複数の呼制御カードを有する。ネットワーク装置は、前記複数の呼制御カードの中から、電源を切断すべき呼制御カードを選択するように構成された選択部と、前記選択部によって選択された呼制御カードの電源を切断するように構成された省電力制御部と、前記複数の呼制御カードのそれぞれが設定可能な最大接続呼数からマージンを差し引いた運用接続呼数を超えないように、前記複数の呼制御カードのそれぞれが設定する接続呼数を制御するように構成された割当部（割当部２５）とを備える。前記省電力制御部は、前記選択部によって選択された呼制御カードに設定された運用接続呼数を相殺するように、前記選択部によって選択されなかった呼制御カードに設定されたマージンを減少して、前記選択部によって選択されなかった呼制御カードに設定された運用接続呼数を増大する。
【００１１】
第１の特徴において、前記省電力制御部は、所定の周期で、前記選択部によって選択された呼制御カードの電源を切断する。
【００１２】
第１の特徴において、前記省電力制御部は、前記複数の呼制御カードの全体で制御する接続呼数が所定閾値を下回った場合に、前記選択部によって選択された呼制御カードの電源を切断する。
【００１３】
第１の特徴において、前記選択部は、電源の通算切断回数、電源の通算切断時間、接続呼の通算処理数及びハードウェアリソースへの通算アクセス回数のうち、少なくともいずれかの情報に基づいて、前記電源を切断すべき呼制御カードを選択する。
【００１４】
第１の特徴において、前記省電力制御部は、電源の切断に先立って、前記選択部によって選択された呼制御カードを、新規呼の割り当てが制限された切断準備状態に遷移させる。
【００１５】
第１の特徴において、ネットワーク装置は、前記切断準備状態に遷移した呼制御カードに格納されたユーザデータを前記切断準備状態に遷移していない呼制御カードに移行するように構成されたデータ移行部（データ移行部２７）をさらに備える。
【発明の効果】
【００１６】
本発明によれば、ネットワーク装置の低消費電力化を図ることを可能とするネットワーク装置を提供することができる。また、呼制御カードの電源を切断することによって、呼制御カードの連続稼働時間を短縮し、呼制御カードの故障を抑制することを可能とするネットワーク装置を提供することができる。
【図面の簡単な説明】
【００１７】
【図１】図１は、第１実施形態に係る移動通信システム１００を示す図である。
【図２】図２は、第１実施形態に係るネットワーク装置２０を示す図である。
【図３】図３は、第１実施形態に係る通信カード群２１を示す図である。
【図４】図４は、第１実施形態に係る呼制御カードの設定値（初期）を示す図である。
【図５】図５は、第１実施形態に係る呼制御カードの設定値（変更後）を示す図である。
【発明を実施するための形態】
【００１８】
以下において、本発明の実施形態に係る移動通信システムについて、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係るネットワーク装置は、複数の呼制御カードを有する。ネットワーク装置は、複数の呼制御カードの中から、電源を切断すべき呼制御カードを選択するように構成された選択部と、選択部によって選択された呼制御カードの電源を切断するように構成された省電力制御部とを備える。複数の呼制御カードのそれぞれが設定可能な最大接続呼数からマージンを差し引いた運用接続呼数を超えないように、複数の呼制御カードのそれぞれが設定する接続呼数が制御される。省電力制御部は、選択部によって選択された呼制御カードの電源の切断に応じて、選択部によって選択されなかった呼制御カードに設定されたマージンを減少して、選択部によって選択されなかった呼制御カードに設定された運用接続呼数を増大する。
【００２１】
実施形態では、省電力制御部は、選択部によって選択された呼制御カードの電源の切断に応じて、選択部によって選択されなかった呼制御カードに設定されたマージンを減少して、選択部によって選択されなかった呼制御カードに設定された運用接続呼数を増大する。従って、一時的な呼数の増大を吸収しながら、複数の呼制御カードの中から選択された呼制御カードの電源を切断することができる。
【００２２】
このように、呼制御カードの電源を切断することによって、ネットワーク装置の低消費電力化を図ることができる。また、呼制御カードの電源を切断することによって、呼制御カードの連続稼働時間を短縮し、呼制御カードの故障を抑制することができる。
【００２３】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２４】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２５】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０（以下、ＮＢ１１０）と、ＲＮＣ１２０と、ＳＧＳＮ１３０とを有する。なお、第１通信システムでは、第１ＲＡＴ（Ｒａｄｉｏ  Ａｃｃｅｓｓ  Ｔｅｃｈｎｏｌoｇｙ）が用いられる。
【００２６】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０（以下、ｅＮＢ２１０）と、ＭＭＥ２３０とを有する。なお、第２通信システムでは、第２ＲＡＴ（Ｒａｄｉｏ  Ａｃｃｅｓｓ  Ｔｅｃｈｎｏｌｏｇｙ）が用いられる。
【００２７】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０と無線通信を行う機能を有するとともに、ｅＮＢ２１０と無線通信を行う機能を有する。
【００２８】
ＮＢ１１０は、セル１１１を有しており、セル１１１に存在するＵＥ１０と無線通信を行う装置（ＮｏｄｅＢ）である。
【００２９】
ＲＮＣ１２０は、ＮＢ１１０に接続されており、セル１１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３０】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３１】
ｅＮＢ２１０は、セル２１１を有しており、セル２１１に存在するＵＥ１０と無線通信を行う装置（ｅｖｏｌｖｅｄ  ＮｏｄｅＢ）である。
【００３２】
ＭＭＥ２３０は、ｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ２３０は、コアネットワーク５０に設けられる。
【００３３】
なお、セルは、ＵＥ１０と無線通信を行う機能として理解すべきである。但し、セルは、セルと通信可能な範囲を示すサービスエリアと考えてもよい。セルは、セルで用いられる周波数、拡散コード又はタイムスロットなどによって識別される。
【００３４】
（ネットワーク装置の構成）
以下において、第１実施形態に係るネットワーク装置の構成について、図面を参照しながら説明する。図２は、第１実施形態に係るネットワーク装置２０を示す図である。
【００３５】
ネットワーク装置２０は、例えば、第１通信システムに設けられるＲＮＣ１２０であってもよい。或いは、ネットワーク装置２０は、例えば、第２通信システムに設けられるｅＮＢ２１０であってもよい。或いは、ネットワーク装置２０は、例えば、第２通信システムに設けられるＭＭＥ２３０であってもよい。
【００３６】
図２に示すように、ネットワーク装置２０は、通信カード群２１と、通信部２２と、選択部２３と、省電力制御部２４と、割当部２５と、指示部２６と、データ移行部２７とを有する。
【００３７】
通信カード群２１は、移動通信端末に対して呼処理を指示するカード、移動通信端末と設定する呼の接続信号を終端するカードなどの複数の呼制御カードを含む。また、通信カード群２１は、他のネットワーク装置と通信を行うためのカード、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）やＨＳＵＰＡ（Ｈｉｇｈ  Ｓｐｅｅｄ  Ｕｐｌｉｎｋ  Ｐａｃｋｅｔ  Ａｃｃｅｓｓ）などを制御するカードなどを含んでもよい。
【００３８】
第１実施形態では、通信カード群２１は、図３に示すように、複数のカードセット（例えば、カードセット＃１〜カードセット＃１２）を含む。各カードセットは、１対の呼制御カードによって構成される。１対の呼制御カードのうち、一方の呼制御カードは、アクティブ系の呼制御カードとして機能し、他方の呼制御カードは、スタンバイ系の呼制御カードとして機能する。
【００３９】
アクティブ系の呼制御カードは、実際に稼働する呼制御カードである。一方で、スタンバイ系の呼制御カードは、アクティブ系の呼制御カードの代替で用いられる呼制御カードである。
【００４０】
ここで、呼制御カードには、図４に示すように、最大接続呼数、運用接続呼数及びマージンが設定されている。なお、図４では、各カードセットのアクティブ系の呼制御カードに設定された最大接続呼数、運用接続呼数及びマージンが示されている。また、最大接続呼数、運用接続呼数及びマージンは指数で表されている。
【００４１】
最大接続呼数は、呼制御カードが設定可能な接続呼数の最大値である。マージンは、接続呼数の増大を吸収するための余裕である。運用接続呼数は、最大接続呼数からマージンを差し引いた値である。
【００４２】
例えば、図４に示すように、カードセット＃１〜カードセット＃６のアクティブ系の呼制御カードには、運用接続呼数として“６０”が設定されている。一方で、カードセット＃７〜カードセット＃１２のアクティブ系の呼制御カードには、運用接続呼数として“８０”が設定されている。
【００４３】
ここで、呼制御カードが設定する接続呼数は、運用接続呼数を超えないように制御される。但し、呼制御カードが設定する接続呼数が運用接続呼数を一時的に超えることも考えられる。
【００４４】
なお、各カードセットのアクティブ系の呼制御カードの最大接続呼数（絶対値）は互いに異なっていてもよい。また、各カードセットのアクティブ系の呼制御カードに設定されるマージン及び運用接続呼数は異なっていてもよい。
【００４５】
図１に戻って、通信部２２は、ＵＥ１０と通信を行う。また、通信部２２は、他のネットワーク装置と通信を行う。
【００４６】
選択部２３は、通信カード群２１に含まれる複数の呼制御カード（ここでは、アクティブ系の呼制御カード）の中から、電源を切断すべきアクティブ系の呼制御カードを選択する。
【００４７】
具体的には、選択部２３は、“電源の通算切断回数”、“電源の通算切断時間”、“接続呼の通算処理数”及び“ハードウェアリソースへの通算アクセス回数”のうち、少なくともいずれかの情報（以下、判定基準情報）に基づいて、電源を切断すべきアクティブ系の呼制御カードを選択する。例えば、選択部２３は、全てのアクティブ系の呼制御カードについて、アクティブ系の呼制御カードの消耗度が均一化するように、電源を切断すべきアクティブ系の呼制御カードを選択する。
【００４８】
“電源の通算切断回数”は、一定期間においてアクティブ系の呼制御カードの電源が切断された回数の合計である。“電源の通算切断時間”は、一定期間においてアクティブ系の呼制御カードの電源が切断されていた時間の合計である。“接続呼の通算処理数”は、一定期間においてアクティブ系の呼制御カードが処理した接続呼数の合計である。“ハードウェアリソースへの通算アクセス回数”は、一定期間においてアクティブ系の呼制御カードがネットワーク装置２０のハードウェアリソースにアクセスした回数の合計である。
【００４９】
省電力制御部２４は、通信カード群２１に含まれる複数の呼制御カード（ここでは、アクティブ系の呼制御カード）に供給する電力を省電力化するモード（以下、省電力モード）を制御する。
【００５０】
具体的には、省電力制御部２４は、選択部２３によって選択されたアクティブ系の呼制御カードの電源の切断に応じて、選択部２３によって選択されなかったアクティブ系の呼制御カードに設定されたマージンを減少する。すなわち、省電力制御部２４は、選択部２３によって選択されなかったアクティブ系の呼制御カードに設定された運用接続呼数を増大する。
【００５１】
詳細には、省電力制御部２４は、選択部２３によって選択されたアクティブ系の呼制御カードに設定された運用接続呼数を相殺するように、選択部２３によって選択されなかったアクティブ系の呼制御カードに設定されたマージンを減少する。すなわち、省電力制御部２４は、選択部２３によって選択されたアクティブ系の呼制御カードに設定された運用接続呼数を相殺するように、選択部２３によって選択されなかったアクティブ系の呼制御カードに設定された運用接続呼数を増大する。
【００５２】
例えば、図４に示す最大接続呼数、運用接続呼数及びマージンがアクティブ系の呼制御カードに設定されている場合に、電源を切断すべきアクティブ系の呼制御カードとして、カードセット＃６のアクティブ系の呼制御カードが選択されたケースについて、図５を参照しながら説明する。
【００５３】
図５に示すように、カードセット＃１〜カードセット＃４のアクティブ系の呼制御カードに設定されるマージンが“４０”から“３０”に変更される。また、カードセット＃５のアクティブ系の呼制御カードに設定されるマージンが“４０”から“２０”に変更される。言い換えると、カードセット＃１〜カードセット＃４のアクティブ系の呼制御カードに設定される運用接続呼数が“６０”から“７０”に変更される。また、カードセット＃５のアクティブ系の呼制御カードに設定される運用接続呼数が“６０”から“８０”に変更される。
【００５４】
このように、電源を切断すべきアクティブ系の呼制御カードに設定された運用接続呼数が相殺されるため、運用接続呼数の合計“８４０”が維持される。
【００５５】
なお、省電力制御部２４は、アクティブ系の呼制御カードの電源とともに、アクティブ系の呼制御カードの代替で用いるスタンバイ系の呼制御カードの電源を切断することが好ましい。言い換えると、省電力制御部２４は、一のカードセットに含まれるアクティブ系の呼制御カードの電源を切断する場合に、一のカードセットに含まれるスタンバイ系の呼制御カードの電源も切断することが好ましい。
【００５６】
第１実施形態では、省電力制御部２４は、所定の周期（例えば、１日周期）で、選択部２３によって選択された呼制御カード（ここでは、アクティブ系の呼制御カード）の電源を切断してもよい。例えば、省電力制御部２４は、トラフィック量が少ない時間帯（夜間など）において、選択部２３によって選択されたアクティブ系の呼制御カードの電源を切断することが好ましい。
【００５７】
或いは、省電力制御部２４は、通信カード群２１に含まれる複数の呼制御カード（ここでは、アクティブ系の呼制御カード）の全体で制御する接続呼数が所定閾値を下回った場合に、選択部２３によって選択された呼制御カード（ここでは、アクティブ系の呼制御カード）の電源を切断してもよい。
【００５８】
第１実施形態では、省電力制御部２４は、電源の切断に先立って、選択部２３によって選択された呼制御カード（ここでは、アクティブ系の呼制御カード）を、新規呼の割り当てが制限された切断準備状態に遷移させてもよい。
【００５９】
割当部２５は、複数の呼制御カード（ここでは、アクティブ系の呼制御カード）のうち、いずれかのアクティブ系の呼制御カードに新規呼を割り当てる。割当部２５は、アクティブ系の呼制御カードに設定された運用接続呼数を超えないように、アクティブ系の呼制御カードに新規呼を割り当てる。このように、割当部２５は、運用接続呼数を超えないように、複数の呼制御カードのそれぞれが設定する接続呼数を制御する。
【００６０】
但し、輻輳時においては、割当部２５は、運用接続呼数を超えて新規呼を割り当ててもよい。つまり、輻輳時においては、マージンを考慮せずに新規呼を割り当ててもよい。
【００６１】
指示部２６は、切断準備状態に遷移した呼制御カード（ここでは、アクティブ系の呼制御カード）と対応するセルから送信される信号の送信電力の低減を指示する。例えば、ネットワーク装置２０がＲＮＣ１２０である場合には、指示部２６は、切断準備状態に遷移したアクティブ系の呼制御カードと対応するセルを有するＮＢ１１０に対して、当該セルから送信される信号の送信電力の低減を指示する。また、ネットワーク装置２０がｅＮＢ２１０である場合には、指示部２６は、ｅＮＢ２１０の内部において、切断準備状態に遷移したアクティブ系の呼制御カードと対応するセルから送信される信号の送信電力の低減を指示する。
【００６２】
データ移行部２７は、切断準備状態に遷移した呼制御カード（ここでは、アクティブ系の呼制御カード）に格納されたユーザデータを切断準備状態に遷移していないアクティブ系の呼制御カードに移行する。
【００６３】
（作用及び効果）
第１実施形態では、省電力制御部２４は、選択部２３によって選択された呼制御カード（ここでは、アクティブ系の呼制御カード）の電源の切断に応じて、選択部２３によって選択されなかったアクティブ系の呼制御カードに設定されたマージンを減少して、選択部２３によって選択されなかったアクティブ系の呼制御カードに設定された運用接続呼数を増大する。従って、一時的な呼数の増大を吸収しながら、複数の呼制御カードの中から選択された呼制御カードの電源を切断することができる。
【００６４】
このように、呼制御カードの電源を切断することによって、ネットワーク装置２０の低消費電力化を図ることができる。また、呼制御カードの電源を順に切断することによって、呼制御カードの連続稼働時間を短縮し、呼制御カードの故障を抑制することができる。
【００６５】
第１実施形態では、選択部２３は、“電源の通算切断回数”、“電源の通算切断時間”、“接続呼の通算処理数”及び“ハードウェアリソースへの通算アクセス回数”のうち、少なくともいずれかの情報（以下、判定基準情報）に基づいて、電源を切断すべきアクティブ系の呼制御カードを選択する。従って、呼制御カードの消耗度が均一化され、呼制御カードの故障をさらに抑制することができる。
【００６６】
第１実施形態では、省電力制御部２４は、選択部２３によって選択された呼制御カード（ここでは、アクティブ系の呼制御カード）の電源の切断に先立って、選択部２３によって選択されたアクティブ系の呼制御カードを切断準備状態に遷移させる。切断準備状態に遷移したアクティブ系の呼制御カードに新規呼が割り当てられないため、切断準備状態に遷移したアクティブ系の呼制御カードで制御する接続呼数は減少するのみである。従って、切断準備状態に遷移したアクティブ系の呼制御カードに供給する電力を切断した場合に、接続呼の切断に伴う悪影響を軽減することができる。
【００６７】
第１実施形態では、指示部２６は、切断準備状態に遷移した呼制御カード（ここでは、アクティブ系の呼制御カード）と対応するセルから送信される信号の送信電力の低減を指示する。従って、切断準備状態に遷移したアクティブ系の呼制御カードで制御される接続呼数を速やかに減らすことができる。
【００６８】
第１実施形態では、データ移行部２７は、切断準備状態に遷移した呼制御カード（ここでは、アクティブ系の呼制御カード）に格納されたユーザデータを切断準備状態に遷移していないアクティブ系の呼制御カードに移行する。従って、接続呼の切断を伴わずに、切断準備状態に遷移したアクティブ系の呼制御カードで制御される接続呼数を速やかに減らすことができる。
【００６９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７０】
第１通信システム及び第２通信システムは、ＵＭＴＳやＬＴＥに対応する通信システムに限定されるものではなく、他の通信システム（例えば、ＷｉＭＡＸに対応する通信システム）であってもよい。
【００７１】
実施形態では、通信カード群２１は、アクティブ系の呼制御カード及びスタンバイ系の呼制御カードを含む冗長構成を有する。しかしながら、実施形態はこれに限定されるものではない。具体的には、通信カード群２１は、冗長構成を有していなくてもよい。すなわち、スタンバイ系の呼制御カードが存在していなくてもよい。
【００７２】
実施形態では、電源を切断すべき呼制御カードとして、１つの呼制御カードが選択される。しかしながら、実施形態はこれに限定されるものではない。具体的には、電源を切断すべき呼制御カードとして、２以上の呼制御カードが選択される。
【００７３】
実施形態では特に触れていないが、呼制御カードの挿抜履歴や呼制御カードの運用履歴が管理されていてもよい。例えば、選択部２３は、呼制御カードの挿抜履歴や呼制御カードの運用履歴に基づいて、呼制御カードの消耗度が均一化するように、電源を切断すべき呼制御カードを選択する。例えば、運用履歴から、長時間運用されていると判定された呼制御カードは、消耗度が進んでいるとして、電源を切断すべき呼制御カードとして選択するなどとしてもよい。また、挿抜履歴から、挿抜が頻繁に行われたと判定された呼制御カードは、接続部分の磨耗が進んでいる（又は、呼制御カード個体として劣化が進んでいる）として、電源を切断すべき呼制御カードとして選択するなどとしてもよい。
【００７４】
なお、上述したネットワーク装置２０の動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０内に設けられていてもよい。また、かかる記憶媒体及びプロセッサは、ディスクリートコンポーネントとしてネットワーク装置２０内に設けられていてもよい。
【符号の説明】
【００７７】
１０…通信端末装置、２０…ネットワーク装置、２１…通信カード群、２２…通信部、２３…選択部、２４…省電力制御部、２５…割当部、２６…指示部、２７…データ移行部、５０…コアネットワーク、１１０…ＮＢ、１１１…セル、１２０…ＲＮＣ、１３０…ＳＧＳＮ、２１０…ｅＮＢ、２１１…セル、２３０…ＭＭＥ、１００…移動通信システム
【図１】
0005462208.tif 000002
【図２】
0005462208.tif 000003
【図３】
0005462208.tif 000004
【図４】
0005462208.tif 000005
【図５】
0005462208.tif 000006